(57)【要約】      （修正有）【課題】ばねの付勢力が低下しても湖底に容易に挿入できるアンカーを提供する。【解決手段】柄部１１０と挿入部１２０とがばね（つる巻きばね１３０）を介して連結されたアンカー１００は、挿入部１２０が互いに回動自在に連結された第１部材１２１と第２部材１２２とを有し、柄部１１０と挿入部１２０の第１部材１２１がＶ字状に固定する。さらに、柄部１１０と挿入部１２０の第２部材１２２がばねを介して連結され、ばねが柄部１１０と第２部材１２２を互いに近づけるように付勢して、挿入部１２０の第１部材１２１と第２部材１２２が一方向に伸びるように保持されており、第２部材１２２がばねの付勢力に抗って外側に向かって回動して、挿入部１２０が折れ曲がるように構成する。【選択図】図１
0003183202.tif 000002
【実用新案登録請求の範囲】
【請求項１】
柄部と挿入部とがばねを介して連結されたアンカーであって、前記挿入部は互いに回動自在に連結された第１部材と第２部材とを有し、前記柄部と前記挿入部の前記第１部材がＶ字状に固定されており、前記柄部と前記挿入部の前記第２部材が前記ばねを介して連結され、前記ばねが前記柄部と前記第２部材を互いに近づけるように付勢して、前記挿入部の前記第１部材と前記第２部材が一方向に伸びるように保持されており、前記第２部材が前記ばねの付勢力に抗って外側に向かって回動して、前記挿入部が折れ曲がるように構成されていることを特徴とするアンカー。
【請求項２】
前記挿入部の前記第２部材には支柱が立設されており、前記ばねは前記柄部と前記支柱の間に介在されていることを特徴とする請求項１に記載のアンカー。
【請求項３】
前記支柱は前記第２部材の前記第１部材側に設けられていることを特徴とする請求項２に記載のアンカー。
【考案の詳細な説明】
【技術分野】
【０００１】
本考案は、船舶用のアンカー（錨、anchor）に関する。
【背景技術】
【０００２】
従来から、様々なアンカーが知られており、例えば、特許文献１に記載されている。特許文献１に記載のアンカー（バネ付きダンフォース型アンカー）は、つる巻きばね（密着巻き螺旋バネ）を介して回動自在に連結された棒状の柄部（シャンク）と板状の挿入部（フレーク）とを有し、前記つる巻きばねは前記柄部と前記挿入部とを互いに近づく方向に付勢してＶ字状に保持しており、前記つる巻きばねの付勢力に抗って前記柄部と前記挿入部とがなす連結角度を大きくすることができるように構成されている。これにより、前記挿入部が湖底の岩等の障害物に引っ掛かった場合でも、アンカーを湖底に放置することなく障害物から外して引き上げることができる。
【０００３】
また、特許文献２には異なる種類のアンカーが記載されている。特許文献２に記載のアンカーは、Ｖ字状に固定された柄部（シャンク）と挿入部（アンカー本体）と、前記柄部と前記挿入部を結ぶように装着された金属線（根掛かり防止用線材）とを有しており、前記金属線は岩や岩盤等の障害物が前記柄部と前記挿入部の間に侵入することを低減するように構成されている。これにより、前記挿入部が障害物に深く潜り込むことを防止できる。
【先行技術文献】
【特許文献】
【０００４】
【特許文献１】実開昭６４−０２２６９６号公報
【特許文献２】特許第４６７８６２４号公報
【考案の概要】
【考案が解決しようとする課題】
【０００５】
特許文献１に記載のアンカーは柄部と挿入部とがつる巻きばねを介して回動自在に連結されており、つる巻きばねは付勢力によって柄部と挿入部とをＶ字状に保持していることにより、発錆等によってつる巻きばねの付勢力が低下すると、柄部と挿入部の保持状態が解除されて、挿入部は柄部に揺動自在に垂れ下がるので、挿入部を湖底に差し込むことが難しいという問題がある。
【０００６】
そこで、本考案は上記問題点を解決するものであり、その課題は、つる巻きばねの付勢力が低下しても挿入部を湖底に容易に差し込むことができるアンカーを提供することにある。
【課題を解決するための手段】
【０００７】
上記課題を解決するための本考案のアンカーは、柄部と挿入部とがばねを介して連結されたアンカーであって、前記挿入部は互いに回動自在に連結された第１部材と第２部材とを有し、前記柄部と前記挿入部の前記第１部材がＶ字状に固定されており、前記柄部と前記挿入部の前記第２部材が前記ばねを介して連結され、前記ばねが前記柄部と前記第２部材を互いに近づけるように付勢して、前記挿入部の前記第１部材と前記第２部材が一方向に伸びるように保持されており、前記第２部材が前記ばねの付勢力に抗って外側に向かって回動して、前記挿入部が折れ曲がるように構成されていることを特徴とする。
【０００８】
この考案によれば、柄部と挿入部とがばねを介して連結されたアンカーであって、前記挿入部は互いに回動自在に連結された第１部材と第２部材とを有し、前記柄部と前記挿入部の前記第１部材がＶ字状に固定されており、前記柄部と前記挿入部の前記第２部材が前記ばねを介して連結され、前記ばねが前記柄部と前記第２部材を互いに近づけるように付勢して、前記挿入部の前記第１部材と前記第２部材が一方向に伸びるように保持されており、前記第２部材が前記ばねの付勢力に抗って外側に向かって回動して、前記挿入部が折れ曲がるように構成されていることにより、前記柄部と前記挿入部の前記第１部材はＶ字状に固定されているので、前記ばねの付勢力が低下しても前記柄部と前記第１部材の連結姿勢がＶ字状に維持され、前記挿入部を河川や湖沼や海等の底に容易に差し込むことができる。
【０００９】
ここで、前記柄部は一方向に伸びる棒状である。前記柄部は例えば中実である、すなわち中空になっていない。前記挿入部の前記第１部材と前記第２部材は例えば平板状である。前記ばねは例えばつる巻きばねである。
【００１０】
本考案の一態様においては、前記挿入部の前記第２部材には支柱が立設されており、前記ばねは前記柄部と前記支柱の間に介在されている。これによれば、前記挿入部の前記第２部材には支柱が設けられ、前記ばねは前記挿入部から離れた位置に設けられているので、前記支柱によって前記柄部と前記挿入部の間に岩等の障害物が侵入することを低減でき、前記挿入部の障害物への潜り込み量を低減できるとともに、前記ばねが挿入部の前記第２部材に直接接続している場合に比べて、前記ばねが河川や湖沼や海等の底にある障害物に引っ掛かることを低減できる。例えば、前記支柱は前記挿入部の前記第２部材から上方向に伸びており、前記ばねは前記支柱の上端部に取り付けられている。また、前記ばねは例えばつる巻きばねである。
【００１１】
本考案の別の態様においては、前記支柱は前記第２部材の前記第１部材側に設けられている。これによれば、前記第２部材において、前記支柱から前記第１部材側の端部までの距離に比べて、前記支柱から前記第１部材に対して反対側の端部までの距離が長くなるので、前記支柱が前記第２部材の前記第１部材に対して反対側に設けられている場合に比べて、前記支柱によって困難性を伴うことなく、前記第２部材を河川や湖沼や海等の底に差し込む量を増加させることができる。
【考案の効果】
【００１２】
以上、説明したように本考案によれば、挿入部は第１部材と第２部材とが互いに回動自在に連結されており、柄部と挿入部の第１部材がＶ字状に固定されており、柄部と挿入部の第２部材がばねを介して連結されているので、ばねの付勢力に関係なく、柄部と挿入部の第１部材との連結姿勢を常時Ｖ字状に維持できるという優れた効果を奏し得る。
【図面の簡単な説明】
【００１３】
【図１】本考案に係る実施形態のアンカーを模式的に示す概略斜視図である。
【図２】本実施形態のアンカーにおける柄部と挿入部とを広げた状態を示す概略斜視図である。
【図３】挿入部を下側から見た状態を拡大して示す概略斜視図である。
【図４】本実施形態のアンカーが岩に引っ掛かった状態を示す概略側面図である。
【図５】本実施形態のアンカーが起立した状態を示す概略側面図である。
【図６】本実施形態のアンカーが岩から外れる状態を示す概略側面図である。
【図７】つる巻きばねが伸びたアンカーを使用した状態を示す概略側面図である。
【考案を実施するための形態】
【００１４】
以下、本考案に係る実施形態のアンカーについて詳細に説明する。図１は本考案に係る実施形態のアンカーを模式的に示す概略斜視図である。図２は本実施形態のアンカーにおける柄部と挿入部とを広げた状態を示す概略斜視図である。図１と図２に示すように、アンカー１００は柄部１１０と挿入部１２０とを有している。このアンカー１００は例えば鉄やアルミ等の金属製であり、表面に防錆塗料の塗布等の防錆処理が施されている。
【００１５】
なお、矢印Ａで示す方向を上側（図１と図３では紙面の上側）とし、矢印Ｂで示す方向を下側（図１と図３では紙面の下側）とし、矢印Ｃで示す方向を左側（図１では紙面に向かって左下側、図３では紙面に向かって左上側）とし、矢印Ｄで示す方向を右側（図１では紙面に向かって右上側、図３では紙面に向かって右下側）とし、矢印Ｅで示す方向を前側（図１では紙面に向かって左上側、図３では紙面に向かって左側）とし、矢印Ｆで示す方向を後側（図１では紙面に向かって右下側、図３では紙面に向かって右側）とする。これら上下左右前後は相対的な位置関係を示すものであり、重力方向に対する絶対的な位置関係を示すものではない。
【００１６】
この柄部１１０は一方向に伸びており、第１棒部材１１１と第２棒部材１１２を含んでいる。これら第１棒部材１１１と第２棒部材１１２は断面円形の棒状部材、すなわち丸棒によって構成されている。この丸棒は中実であり中空になっていない。このうち、第１棒部材１１１は下側部分が折り曲げられて、矢印Ｃと矢印Ｄで示す左右方向（側方）から見てＶ字状に形成されている。第１棒部材１１１の下側部分の折り曲げ角度は直角より小さい鋭角に設定されている。第１棒部材１１１の折り曲げ部分の中には中間部材１１１ａが設けられている。この中間部材１１１ａは丸棒であり、上下方向に伸びるように起立しており、第１棒部材１１１の折り曲げ角度を保持している。
【００１７】
一方、柄部１１０の第２棒部材１１２は全体形状がＴ字状であり、第２棒部材１１２の下端部に横棒部分１１２ａが設けられている。この横棒部分１１２ａは第２棒部材１１２の長手方向に対して直交又は略直交する方向に伸びている。図示例ではこの延在方向は矢印Ｃと矢印Ｄで示す左右方向になっている。この横棒部分１１２ａは後述する挿入部１２０の姿勢を水平又は略水平に保持して、河川や湖沼や海等の底（以下、総称して湖底と呼ぶ。）に挿入部１２０を差し込むことができるようにするためのものである。
【００１８】
これら第１棒部材１１１と第２棒部材１１２は連結されている。具体的には、第１棒部材１１１の上に第２棒部材１１２が積み重ねられた状態で互いに固定されている。この固定は溶接でもよいし、ボルトとナット等の締結具を用いてもよい。この状態において、第２棒部材１１２の横棒部分１１２ａは柄部１１０の下端部に配置されている。つまり、第２棒部材１１２の横棒部分１１２ａは第１棒部材１１１における下側部分の屈曲位置又はその近くの位置に配置されている。なお、柄部１１０の上端部には円環部１１０ａが設けられている。この円環部１１０ａは内側に開口が形成されており、船舶等に連結されたロープやワイヤやチェーン等を取り付け可能に構成されている。図示例では、この円環部１１０ａは第１棒部材１１１の上端に取り付けられている。
【００１９】
挿入部１２０は、アンカー１００が動かないように湖底に差し込まれる部分であり、第１部材１２１と第２部材１２２を含んでいる。これら第１部材１２１と第２部材１２２は平板状であり、回動自在に連結されており、一方向に伸ばしたり重ね合わせたりすることができるように構成されている。これにより、挿入部１２０は一方向に伸ばしたり二つ折りにしたりすることができるようになっている。
【００２０】
図３は挿入部を下側から見た状態を拡大して示す概略斜視図である。図３に示すように、挿入部１２０には３つの円筒部１２１ａ、１２２ａ、１２２ｂと丸棒１２３とが設けられている。これら３つの円筒部１２１ａ、１２２ａ、１２２ｂは一方向に伸びる筒状であり、中空になっており、両端が開口している。丸棒１２３は断面円形の一方向に伸びる棒であり、中実になっている。これら３つの円筒部１２１ａ、１２２ａ、１２２ｂは一列に配列されて一方向に伸びており、内部が連通している。これら３つの円筒部１２１ａ、１２２ａ、１２２ｂの中に丸棒１２３が挿通されている。
【００２１】
これら３つの円筒部１２１ａ、１２２ａ、１２２ｂのうち、真ん中の円筒部１２１ａは第１部材１２１の底部１２１Ｂに設けられており、この円筒部１２１ａと丸棒１２３は回動不能に固定されている。両側２つの円筒部１２２ａ、１２２ｂは第２部材１２２の底部１２２Ｂに互いに間隔を空けて設けられており、これら２つの円筒部１２２ａ、１２２ｂと丸棒１２３は回動自在に係合している。このため、第１部材１２１と第２部材１２２は丸棒１２３の外周回りに回動自在に連結している。
【００２２】
具体的には、第１部材１２１と第２部材１２２は矢印Ｅと矢印Ｆで示す前後方向に隣接配置されている。第１部材１２１と第２部材１２２の互いに対向する端部、すなわち第１部材１２１の後端部１２１Ｄと第２部材１２２の前端部１２２Ｃとは平坦に形成されており、第１部材１２１と第２部材１２２の配列方向に対して直交する方向（矢印Ｃと矢印Ｄで示す左右方向）に伸びている。３つの円筒部１２１ａ、１２２ａ、１２２ｂのうち、真ん中の円筒部１２１ａは第１部材１２１の後端部１２１Ｄに沿うように配置されており、両側２つの円筒部１２２ａ、１２２ｂは第２部材１２２の前端部１２２Ｃに沿うように間隔を空けて配置されている。このため、３つの円筒部１２１ａ、１２２ａ、１２２ｂは左右方向に一列に配列されて、内部の丸棒１２３は左右方向に伸びており、第１部材１２１と第２部材１２２は左右方向に伸びる軸線回りに回動自在に構成されている。
【００２３】
この状態で、第１部材１２１と第２部材１２２を矢印Ａで示す上方向に回動させると、第１部材１２１の後端部１２１Ｄと第２部材１２２の前端部１２２Ｃとが当接して回動が停止され、第１部材１２１と第２部材１２２は一方向（矢印Ｅと矢印Ｆで示す前後方向）に伸びた状態になる。一方、第１部材１２１と第２部材１２２を矢印Ｂで示す下方向に回動させると、第１部材１２１の底部１２１Ｂと第２部材１２２の底部１２２Ｂとが当接して回動が停止され、第１部材１２１と第２部材１２２は二つ折り状態になる。これら底部１２１Ｂ、１２２Ｂは例えば平坦に形成されている。
【００２４】
なお、第２部材１２２の後端部１２２Ｄ（第１部材側に対して反対側の端部）は両方の側部にある角部が斜めに切り落されて、第２部材１２２の前端部１２２Ｃに比べて幅狭に形成されている。これにより、第２部材１２２は後端部が前端部と同じ横幅である場合に比べて湖底に差し込み易くなっている。
【００２５】
図１と図２に示すように、柄部１１０の第１棒部材１１１の下端が挿入部１２０の第１部材１２１の上部に溶接等によって固定されており、柄部１１０と挿入部１２０とが連結している。この状態において、柄部１１０と挿入部１２０は側方（矢印Ｃ又は矢印Ｄの左右方向）から見てＶ字状になっている。柄部１１０における第１棒部材１１１の中間部材１１１ａは挿入部１２０における第１部材１２１の上部から上方向に伸びるように起立しており、柄部１１０と挿入部１２０とからなす角度を保持している。
【００２６】
挿入部１２０の第２部材１２２の上部には支柱１２４が立設されている。この支柱１２４は第２部材１２２から矢印Ａで示す上方向に伸びており、その上端部が円環状に形成されている。この支柱１２４の上端部は、内部が開口しており、つる巻きばね１３０を取り付け可能又は引っ掛け可能に構成されている。この支柱１２４は第２部材１２２の前端部１２２Ｃに寄った位置、つまり第１部材側に配置されており、第２部材１２２の後端部１２２Ｄから支柱１２４までの距離が、第２部材１２２の前端部１２２Ｃから支柱１２４までの距離より長くなっている。これにより、支柱１２４が第２部材１２２の後端部１２２Ｄに寄った位置（第１部材１２１に対して反対側の端部側）に配置されている場合に比べて、第２部材１２２の湖底への差し込み量を多くすることができ、アンカー１００を湖底に強固に固定できる。
【００２７】
挿入部１２０の第２部材１２２と柄部１１０との間にはつる巻きばね１３０が介在されている。このつる巻きばね１３０は第２部材１２２と柄部１１０を連結している。このつる巻きばね１３０は螺旋状であり、縮む方向に付勢しており、伸びる方向に付勢力に抗って弾性変形可能に構成されている。具体的には、つる巻きばね１３０の一端（下端）が支柱１２４の上端部に取り付けられており、つる巻きばね１３０の他端（上端）が柄部１１０の第１棒部材１１１に取り付けられている。したがって、つる巻きばね１３０は支柱１２４と柄部１１０の間に介在されている。
【００２８】
この状態で、つる巻きばね１３０は、柄部１１０と挿入部１２０の第２部材１２２とを互いに近づける方向に付勢しており、挿入部１２０における第２部材１２２の前端部１２２Ｃを第１部材１２１の後端部１２１Ｄに圧接して、挿入部１２０の第１部材１２１と第２部材１２２を一方向（矢印Ｅと矢印Ｆで示す前後方向）に伸ばした状態に保持している。
【００２９】
このつる巻きばね１３０の付勢力に抗って、挿入部１２０の第２部材１２２を外側（柄部１１０に対して反対側）に向かって回動させると、柄部１１０と挿入部１２０の第１部材１２１とが固定した状態のまま、第２部材１２２が丸棒１２３の回りに矢印Ｂで示す下側（外側）に向かって回動して、柄部１１０から離れて、挿入部１２０の第１部材１２１と第２部材１２２が矢印Ｃと矢印Ｄで示す左右方向（側方）から見てＬ字状又は二つ折りになり、挿入部１２０が折れ曲がるようになっている。
【００３０】
上述のように構成されたアンカー１００は、船舶に連結されたロープを円環部１１０ａに取り付けた状態で、アンカー１００を船舶の前方の水中に投入してから、船舶を後退させたりロープを引っ張ったりして、挿入部１２０を湖底Ｂに差し込んで、船舶を停泊させるように使用する。
【００３１】
図４は本実施形態のアンカーが岩に引っ掛かった状態を示す概略側面図であり、図５は本実施形態のアンカーが起立した状態を示す概略側面図であり、図６は本実施形態のアンカーが岩から外れる状態を示す概略側面図である。図４から図６までに示すように、このとき、アンカー１００の挿入部１２０が湖底Ｂの岩Ｒに引っ掛かった場合、図示しないロープを矢印Ｐで示す上方向に引き上げると（図４参照）、挿入部１２０が折れ曲がって柄部１１０が起立し（図５参照）、このまま、さらに引き上げると、柄部１１０が湖底Ｂから引き上げられ、挿入部１２０が二つ折りになるとともに上方向に移動して、挿入部１２０が岩Ｒから外れる（図６参照）。
【００３２】
図７はつる巻きばねが伸びたアンカーを使用した状態を示す概略側面図である。図７に示すように、つる巻きばね１３０が伸びてその付勢力が低下した場合でも、アンカー１００を水中に投入して引くと、挿入部１２０が湖底Ｂに差し込まれる。
【００３３】
本実施形態においては、挿入部１２０が回動自在に連結された第１部材１２１と第２部材１２２とを有し、柄部１１０における第１棒部材１１１の下側部分がＶ字状に折り曲げられており、第１棒部材１１１の下端部と挿入部１２０の第１部材１２１とが固定されており、第１棒部材１１１と挿入部１２０の第２部材１２２がつる巻きばね１３０を介して連結していることにより、柄部１１０と挿入部１２０の第１部材１２１とからなる角度が常に維持されるので、つる巻きばね１３０の付勢力が低下しても、挿入部１２０を湖底に差し込むことができる。
【００３４】
この実施形態においては、挿入部１２０の第２部材１２２に支柱１２４が立設されており、つる巻きばね１３０が柄部１１０と支柱１２４の間に介在されていることにより、支柱１２４が柄部１１０と挿入部１２０の間に配置されているので、岩等の障害物が柄部１１０と挿入部１２０の間に侵入することを低減でき、挿入部１２０の障害物への潜り込み量を低減できる。
【００３５】
この状態において、つる巻きばね１３０は挿入部１２０から上方向に支柱１２４の分だけ離れた位置に設けられているので、つる巻きばね１３０が第２部材１２２に直接接続している場合に比べて、つる巻きばね１３０が湖底の障害物に引っ掛かることを低減できる。
【００３６】
また、本実施形態においては、支柱１２４は第２部材１２２の前端部１２２Ｃに寄った位置（第１部材１２１の側）に設けられており、第１部材１２１に近づいていることにより、支柱１２４から第２部材１２２の後端部１２２Ｄまでの距離が、支柱１２４から第２部材１２２の前端部１２２Ｃまでの距離より長くなっているので、支柱１２４が第２部材１２２の後端部１２２Ｄに寄った位置（第１部材１２１の反対側）に設けられている場合に比べて、第２部材１２２の湖底への差し込み量を多くすることができ、アンカー１００を湖底から抜け難くすることができる。
【００３７】
尚、上記実施形態のアンカー１００は、上述の図示例にのみ限定されるものではなく、本考案の要旨を逸脱しない範囲内において種々変更を加え得ることは勿論である。例えば、本実施形態のアンカー１００は金属製であるが、木製でもよいし、合成樹脂製でもよい。柄部１１０の第１棒部材１１１と第２棒部材１１２は中実であるが、中空であってもよい。柄部１１０の第１棒部材１１１と第２棒部材１１２は丸棒であるが、断面形状が三角形や四角形や六角形等の角棒でもよい。柄部１１０は第１棒部材１１１と第２棒部材１１２の２つの部材から構成されているが、１つの部材から構成されていてもよい。
【００３８】
また、挿入部１２０の第１部材１２１と第２部材１２２は平板状であるが、平板状に限定されることなく、例えば、断面形状が三角状やかまぼこ状になっていてもよい。図示例では、第１部材１２１の矢印Ｅと矢印Ｆで示す前後方向の長さは、第２部材１２２の前後方向の長さより短いが、第１部材１２１と第２部材１２２の前後方向の長さは同じでもよいし、第１部材１２１の前後方向の長さは第２部材１２２の前後方向の長さより長くてもよい。
【００３９】
なお、挿入部１２０における３つの円筒部１２１ａ、１２２ａ、１２２ｂのうち、真ん中の円筒部１２１ａは第１部材１２１に設けられており、両側２つの円筒部１２２ａ、１２２ｂは第２部材１２２に設けられているが、真ん中の円筒部１２１ａが第２部材１２２に設けられており、両側２つの円筒部１２２ａ、１２２ｂが第１部材１２１に設けられていてもよい。また、真ん中の円筒部１２１ａと丸棒１２３は回動不能に固定されており、両側２つの円筒部１２２ａ、１２２ｂと丸棒１２３は回動自在に係合しているが、真ん中の円筒部１２１ａと丸棒１２３が回動自在に係合しており、両側２つの円筒部１２２ａ、１２２ｂと丸棒１２３が回動不能に固定されていてもよい。
【００４０】
また、柄部１１０の第１棒部材１１１の下側部分がＶ字状に折り曲げられており、第１棒部材１１１の下端が挿入部１２０の第１部材１２１に固定されているが、第１棒部材１１１の下側部分が真っ直ぐに伸びており、第１棒部材１１１と挿入部１２０の第１部材１２１がＶ字状に固定されていてもよい。
【符号の説明】
【００４１】
１００…アンカー、１１０…柄部、１１０ａ…円環部、１１１…第１棒部材、１１１ａ…中間部材、１１２…第２棒部材、１１２ａ…横棒部分、１２０…挿入部、１２１…第１部材、１２１ａ、１２２ａ、１２２ｂ…円筒部、１２１Ｂ、１２２Ｂ…底部、１２１Ｃ、１２２Ｃ…前端部、１２１Ｄ…後端部、１２２…第２部材、１２３…丸棒、１２４…支柱、１３０…つる巻きばね、Ｂ…湖底、Ｒ…岩、Ａ、Ｂ、Ｃ、Ｄ、Ｅ、Ｆ、Ｐ…矢印
【図１】
0003183202.tif 000003
【図２】
0003183202.tif 000004
【図３】
0003183202.tif 000005
【図４】
0003183202.tif 000006
【図５】
0003183202.tif 000007
【図６】
0003183202.tif 000008
【図７】
0003183202.tif 000009